(57)【要約】      （修正有）【課題】多くの枚数のカードを収納することができると共に、取り出す際には取り出しやすい財布のカード収納部構造を提供する。【解決手段】互いに厚さ方向に沿って連設された複数の収納部１４ａ〜１４ｄにより形成され、上記各収納部は上方に開口する開口部１５を有すると共に隣接する他の収納部との間にマチ部１６を有する財布１０のカード収納部構造であって、上記収納部は、表面側片部１７ａ〜１７ｄと、該表面側片部の長さ方向両端部において接合されている裏面側片部１８ａ〜１８ｃとを有し、該裏面側片部は隣接する他の収納部の表面側片部に、長さ方向両端部よりも内方の部位において接合され、接合部位と長さ方向両端部２０との間で形成される部位が上記マチ部を構成すると共に、上記各収納部は、厚さ方向一端部の収納部から厚さ方向他端部の収納部に至るに従って収納部上方へ、所定寸法分偏移して設けられ、上記複数の収納部の開口部は上下方向に沿って段階的に開口するように構成されている。【選択図】図１
0003156974.tif 000002
【実用新案登録請求の範囲】
【請求項１】
互いに厚さ方向に沿って連設された複数の収納部により形成され、上記各収納部は上方に開口する開口部を有すると共に隣接する他の収納部との間にマチ部を有する財布のカード収納部構造であって、
上記収納部は、表面側片部と、上記表面側片部の長さ方向両端部において接合されている裏面側片部とを有し、裏面側片部は隣接する他の収納部の表面側片部に、長さ方向両端部よりも内方の部位において接合され、上記接合部位と長さ方向両端部との間で形成される部位が上記マチ部を構成すると共に、
上記各収納部は、厚さ方向一端部の収納部から厚さ方向他端部の収納部に至るに従って収納部上方へ、所定寸法分偏移して設けられ、上記複数の収納部の開口部は上下方向に沿って段階的に開口するように構成されていることを特徴とする財布のカード収納部構造。
【請求項２】
上記各収納部は、表面側片部は裏面側片部よりも上下方向寸法が小さく形成され、上記表面側片部と裏面側片部とにより上記開口部が形成されることを特徴とする請求項１記載の財布のカード収納部構造。
【請求項３】
上記複数の収納部の開口部を被覆しうるカバー部材が設けられていることを特徴とする請求項２記載の財布のカード収納部構造。
【請求項４】
上記複数の収納部は、札入れ部の内方側面部に設けられていることを特徴とする請求項３記載の財布のカード収納部構造。
【請求項５】
上記最外方の収納部の表面側片部は皮革により形成されていると共に、最外方の裏面側片部及びその他の収納部の表面側片部及び裏面側片部は布材により構成されていることを特徴とする請求項２記載の財布のカード収納部構造。
【考案の詳細な説明】
【技術分野】
【０００１】
本考案は財布のカード収納部構造の改良に関する。
【背景技術】
【０００２】
一般に、札入れ部を有する財布にはカード収納部が設けられている。このようなカード収納部は、例えば、上記札入れ部の内側方部において、長さの異なる多数の仕切り片部を厚さ方向に沿って複数設けることにより、互いに隣接する仕切り片部との間にカード収納スペースを形成して構成されている。
【０００３】
しかしながら、従来のこのような財布のカード収納部構造にあっては、互いに隣接する仕切り片部は幅方向両端部において互いに接合されていたことから、各カード収納部の厚さ寸法は非常に小さく、ほぼ、各カード収納部には１枚からせいぜい２枚程度のカードしか収納することはできなかった。
【０００４】
従って、現にこのような従来のカード収納部構造にあっては、一人で多数枚のカードを保有する場合には一つの財布に収納できるカード枚数がかぎられてしまい、非常に不便であった。
また、上記のように各カード収納部の厚さ寸法は非常に小さく、各カード収納部に収納したカードを取り出す際には、カードが厚さ方向両側の仕切り片部により圧迫され、カードが取り出しにくい、という不具合も存していた。
【考案の開示】
【考案が解決しようとする課題】
【０００５】
本考案の課題は、多くの枚数のカードを収納することができると共に、取り出す際には取り出しやすい財布のカード収納部構造を提供することにある。
【課題を解決するための手段】
【０００６】
上記課題を解決するために、請求項１記載の考案にあっては、互いに厚さ方向に沿って連設された複数の収納部により形成され、上記各収納部は上方に開口する開口部を有すると共に隣接する他の収納部との間にマチ部を有する財布のカード収納部構造であって、上記各収納部は、表面側片部と、上記表面側片部の長さ方向両端部において接合されている裏面側片部とを有し、裏面側片部は隣接する他の収納部の表面側片部に、長さ方向両端部よりも内方の部位において接合され、上記接合部位と長さ方向両端部との間で形成される部位が上記マチ部を構成すると共に、上記各収納部は、厚さ方向一端部の収納部から厚さ方向他端部の収納部に至るに従って収納部上方へ、所定寸法分偏移して設けられ、上記複数の収納部の開口部は上下方向に沿って段階的に開口するように構成されていることを特徴とする。
【０００７】
従って、請求項１記載の考案にあっては、上記各収納部は他の収納部との間にマチ部を有することから、各収納部はマチ部の幅寸法に相当する厚さ寸法を有している。また、上記開口部はマチ部の幅寸法に相当する幅寸法を有している。
【０００８】
請求項２記載の考案にあっては、上記各収納部は、表面側片部は裏面側片部よりも上下方向寸法が小さく形成され、上記表面側片部と裏面側片部とにより上記開口部が形成されることを特徴とする。
【０００９】
従って、請求項２記載の考案にあっては、表面側片部の方が裏面側片部よりも上下寸法が小さく形成されていることから、上記マチ部と相まって、開口部は表面部側に大きく開口することとなる。
【００１０】
請求項３記載の考案にあっては、上記複数の収納部の開口部を被覆しうるカバー部材が接合されていることを特徴とする。
請求項４記載の考案にあっては、上記複数の収納部は、札入れ部の内方側面部に設けられていることを特徴とする。
【００１１】
請求項５記載の考案にあっては、上記最外方の収納部の表面側片部は皮革により形成されていると共に、最外方の裏面側片部及びその他の収納部の表面側片部及び裏面側片部は布材により構成されていることを特徴とする。
【考案の効果】
【００１２】
請求項１記載の考案にあっては、上記各収納部は他の収納部との間にマチ部を有することから、各収納部はマチ部の幅寸法に相当する厚さ寸法を有していることから、各収納部に複数枚のカードを容易かつ確実に収納することができる。
【００１３】
また、上記各収納部は他の収納部との間にマチ部を有し、上記開口部はマチ部の幅寸法に相当する幅寸法の開口部を有していることから、上記開口部は大きく開口し、カードの収納、取り出しを容易かつ迅速に行うことができる。
さらに、上記各収納部は、厚さ方向一端部側の収納部から厚さ方向他端部側の収納部に至るに従って上方へ、所定寸法分偏移して設けられ、上記複数の収納部の開口部は上下方向に沿って段階的に開口するように構成されていることから、上記複数の開口部は上下方向に複数、段階的に連続して形成され、使用者は、カードの収納、取り出しを容易に行うことができる。
【００１４】
請求項２記載の考案にあっては、表面側片部の方が裏面側片部よりも上下寸法が小さく形成されていることから、開口部は表面部側に大きく開口し、使用者は開口部から収納部内を容易に視認することができる。
従って、使用者は収納部へ容易にカードを収納することができると共に、収納部に収納されたカードを容易に取り出すことができる。
【００１５】
請求項３記載の考案にあっては、上記複数の収納部の開口部を被覆しうるカバー部材が接合されていることから、非使用時には開口部を上記カバー部材で被覆し、カードの脱落を有効に防ぐことができる。
請求項４記載の考案にあっては、多数のカードを容易に収納し、かつ取り出すことができる札入り部を有する財布を提供することができる。
【００１６】
請求項５記載の考案にあっては、上記最外方の収納部の表面側片部は皮革により形成されていると共に、最外方の裏面側片部及びその他の収納部の表面側片部及び裏面側片部は布材により構成されていることから、各収納部を外方へ引っ張った場合であっても、上記布材が伸縮することから、開口部を大きく開口させることができる。
【００１７】
その結果、使用者が容易に収納部内方を視認することができ、カードを収納部へより容易に収納させることができると共に、より容易に取り出すことができる。
【図面の簡単な説明】
【００１８】
【図１】本考案に係る財布のカード収納部構造の一実施の形態を示し、札入れ部を有する財布に適用した場合を示す斜視図である。
【図２】本考案に係る財布のカード収納部構造の一実施の形態を示し、図１の2―2線断面図であって、各収納部を開いた状態を示す図である。
【図３】本考案に係る財布のカード収納部構造の一実施の形態を示し、図１の2―2線断面図であって、各収納部を閉じた状態を示す図である。
【考案を実施するための最良の形態】
【００１９】
以下、添付図面に示す実施の形態に基づき、本考案を詳細に説明する。
本実施の形態にあっては、本考案に係る財布のカード収納部構造を札入れ部を有する財布に適用した場合を例に説明する。
【００２０】
図１〜図３に示すように、本実施の形態に係る財布１０は、全体長方形状に形成され、札入れ部１１ａ、１１ｂと、札入れ部１１の内側面部に設けられた小銭入れ部１２とカード収納部１３とを有している。
【００２１】
本実施の形態にあっては、上記カード収納部１３は、互いに厚さ方向に沿って連設された４個の収納部１４ａ、１４ｂ、１４ｃ、１４ｄを有し、これら４個の収納部１４ａ、１４ｂ、１４ｃ、１４ｄは、上方に開口する開口部１５を有しており、最内方の収納部１４ａ、及びこれに隣接する収納部１４ｂ及び１４ｃは隣接する他の収納部１４との間にマチ部１６を有している。
【００２２】
上記収納部１４は、表面側片部１７と、上記表面側片部１７の長さ方向両端部において接合されている裏面側片部１８とを有し、裏面側片部１８は隣接する他の収納部１４の表面側片部１７に、長さ方向両端部２０よりも内方の部位において接合され、上記接合部位１９と長さ方向両端部２０との間で形成される部位により上記マチ部１６が構成されている。
【００２３】
上記各収納部１４は、厚さ方向一端部の収納部１４ａから厚さ方向他端部の収納部１４ｄに至るに従って収納部上方へ、所定寸法分偏移して設けられ、上記複数の収納部１４の開口部１５は上下方向に沿って段階的に開口するように構成されている。
【００２４】
上記表面側片部１７は裏面側片部１８よりも上下方向寸法が小さく形成され、上記表面側片部１７と裏面側片部１８とにより上記開口部１５が形成されている。
また、本実施の形態にあっては、上記複数の収納部１４の開口部１５を被覆しうるカバー部材２１が設けられている。上記カバー部材２１は、本実施の形態にあっては、内方側の札入れ部１１ａの上端部に縫合固定され、上記４個の収納部１４ａ、１４ｂ、１４ｃ、１４ｄを被覆しうるように折曲された皮革製のフラップ部材により構成されている。
【００２５】
上記カバー部材２１の先端部内側面部にはオスのスナップ部材２２ａが固定され、収納部１４ａの表面側片部１７にはメスのスナップ部材２２ｂが固定され、被覆時には上記スナップ部材２２ａ、２２ｂを係合することによりカバー部材２１を固定することができるように構成されている。
【００２６】
上記最外方の収納部１４ａの表面側片部１７ａは皮革により形成されていると共に、最外方の裏面側片部１８ａ及びその他の収納部１４ｂ、１４ｃ、１４ｄの表面側片部１７ｂ、１７ｃ、１７ｄ及び裏面側片部１８ａ、１８ｂ、１８ｃは布材により構成されている。
【００２７】
以下、本実施の形態に係る財布のカード収納部構造の作用について説明する。
本実施の形態に係る財布１０のカード収納部１３にカードを収納しようとする場合には、図３に示すように、上記カバー部材２１のスナップ部材２２ａ、２２ｂによる収納部１４ａへの固定を解除して、収納部１４ａ、１４ｂ、１４ｃ、１４ｄを開放し、カードを適宜、上記４個の収納部１４ａ、１４ｂ、１４ｃ、１４ｄのいずれかの収納部に収納することができる。
【００２８】
この場合、収納部１４ａ、１４ｂ、１４ｃはマチ部１６を有していることから、多数枚のカードを各収納部１４ａ、１４ｂ、１４ｃ内に収納した場合には、マチ部１６の寸法分、厚さ方向に拡開して収納容積を拡大することができるため、収納部１４ａ、１４ｂ、１４ｃ内には、夫々、多数枚のカードを収納することができる。
【００２９】
また、例えば、最外方の収納部１４ａの表面側片部１７を手前側に引いた場合には、最外方の裏面側片部１８ａ及びその他の収納部１４ｂ、１４ｃ、１４ｄの表面側片部１７ｂ、１７ｃ、１７ｄ及び裏面側片部１８ａ、１８ｂ、１８ｃは布材により構成されていることから、布材の有する伸縮性により、図２に示すように、マチ部１６を有する夫々の収納部１４ａ、１４ｂ、１４ｃの開口部１５は大きく斜め前方へ開口する。
【００３０】
従って、本実施の形態にあっては、上記表面側片部１７は裏面側片部１８よりも上下方向寸法が小さく形成され、上記表面側片部１７と裏面側片部１８とにより上記開口部１５が形成されていることと相まって、使用者は各収納部１４ａ、１４ｂ、１４ｃ内を容易に視認することができるため、カードの収納状況を確認しやすい。同様に、カードを収納部１４ａ、１４ｂ、１４ｃから取り出す際には、容易に取り出すことができる。
【００３１】
本実施の形態にあっては、最外方の裏面側片部１８ａ及びその他の収納部１４ｂ、１４ｃ、１４ｄの表面側片部１７ｂ、１７ｃ、１７ｄ及び裏面側片部１８ｂ、１８ｃ、１８ｄは布材により構成されている場合を例に説明したが、上記実施の形態に限定されず、皮革により形成されていてもよい。
【００３２】
また、本実施の形態にあっては、本考案に係る財布のカード収納部構造を札入れ部１１を有する大型の財布に適用した場合を例に説明したが、札入れ部１１とは別個にカード収納部１３のみを独立して形成してもよく、上記実施の形態には限定されない。
【産業上の利用可能性】
【００３３】
本考案は、財布等の、カードを収納する収納構造に広く適用することができる。
【符号の説明】
【００３４】
１０  財布
１１  札入れ部
１２  小銭入れ部
１３  カード収納部
１４  収納部
１５  開口部
１６  マチ部
１７  表面側片部
１８  裏面側片部
１９  接合部位
２０  長さ方向両端部
２１  カバー部材
２２  スナップ部材
【図１】
0003156974.tif 000003
【図２】
0003156974.tif 000004
【図３】
0003156974.tif 000005
【手続補正書】
【提出日】平成21年11月17日(2009.11.17)
【手続補正１】
【補正対象書類名】実用新案登録請求の範囲
【補正対象項目名】請求項５
【補正方法】変更
【補正の内容】
【請求項５】
前記各収納部のうちの最外方の収納部の表面側片部は皮革により形成されていると共に、最外方の裏面側片部及びその他の収納部の表面側片部及び裏面側片部は布材により構成されていることを特徴とする請求項２記載の財布のカード収納部構造。